(57)【要約】【課題】  箱体からフィルタ体を引き出してフィルタ体を清掃する際に、フィルタ体を付け忘れたり、紛失したりする虞のない貯蔵庫を提供する。【解決手段】  箱体２と、箱体２内を冷却する温度調節ユニットたるスターリング冷凍機10と、前記箱体２に形成されている吸気口３から外気を吸入して前記スターリング冷凍機10へ送風する送風機12と、前記箱体２内に設けられ前記吸気口３から吸入される外気から塵埃を除去するフィルタ体４とを備える貯蔵庫１において、前記フィルタ体４を出し入れする出入口３ｂが前記箱体２に形成され、前記フィルタ体４の出入口３ｂ側と反対側の端部に爪部４ｄが形成され、この爪部４ｄが摺動可能に係合する案内部３ａが前記吸気口３に形成され、前記爪部４ｄが当接して前記フィルタ体４が箱体２から抜けることを防止する抜止部３ｃが前記案内部３ａの出入口３ｂ側端部に形成されてなる。【選択図】        図６
2005127551.tif 000002
【特許請求の範囲】
【請求項１】
箱体と、該箱体内を冷却及び／又は加熱する温度調節ユニットと、前記箱体に形成されている吸気口から外気を吸入して前記温度調節ユニットへ送風する送風機と、前記箱体内に設けられ前記吸気口から吸入される外気から塵埃を除去するフィルタ体とを備える貯蔵庫において、
前記フィルタ体を出し入れする出入口が前記箱体に形成され、前記フィルタ体の前記出入口側と反対側の端部に爪部が形成され、該爪部を摺動可能に係合させる案内部が前記吸気口に形成され、前記爪部が当接して前記フィルタ体が前記箱体から抜けることを防止する抜止部が前記案内部の前記出入口側端部に形成されていることを特徴とする貯蔵庫。
【請求項２】
前記フィルタ体を前記吸気口の内部から前記吸気口に対して略垂直方向に押圧することで、前記爪部と前記案内部とが係合することを特徴とする請求項１記載の貯蔵庫。
【発明の詳細な説明】
【技術分野】
【０００１】
本発明は、箱体と、箱体内を冷却及び／又は加熱する温度調節ユニットと、箱体に形成されている吸気口から外気を吸入して温度調節ユニットへ送風する送風機と、箱体内に設けられ吸気口から吸入される外気から塵埃を除去するフィルタ体とを備える貯蔵庫に関する。
【背景技術】
【０００２】
従来、箱体と、箱体内を冷却及び／又は加熱する温度調節ユニットと、箱体に形成されている吸気口から外気を吸入して温度調節ユニットへ送風する送風機と、箱体内に設けられ吸入口から吸入される外気から塵埃を除去するフィルタ体とを備える貯蔵庫としては、ケース本体と、ケース本体の下方に設けられている機械室とを備え、この機械室内に凝縮器と、この凝縮器に対する塵埃の付着を防止するためのフィルタ部材とが配置されていると共に、前記機械室の一側板に前記フィルタ部材を出し入れするための開口が穿設されているショーケースにおいて、前記フィルタ部材を前記機械室外に取り出す際に、指を前記機械室内に挿入するための切欠部が前記開口に連設されていることを特徴とするショーケースが知られている（特許文献１参照）。当該ショーケースによれば、前記開口を前記フィルタ部材が出し入れ可能となる必要最小寸法に設定しても、前記フィルタ部材の一部を開口から前記機械室外に突出させておくことなく、前記切欠部から指を入れて前記フィルタ部材を前記機械室外にスムーズに取り出すことができる。
【特許文献１】特開２００２−２２３３１号公報
【発明の開示】
【発明が解決しようとする課題】
【０００３】
しかしながら、上述の従来技術では、フィルタ部材を清掃する際にフィルタ部材を機械室外に取り出すため、清掃された前記フィルタ部材をセットし忘れたり、フィルタ部材を紛失したりする虞があるという問題点がある。そして、このようにフィルタ部材をセットし忘れた状態、或いはフィルタ部材を紛失した状態で前記貯蔵庫を作動させた場合、温度調節ユニットに埃が溜まってしまうことで熱が籠もってしまい、放熱効率が低下することで貯蔵庫内の温度調節の効率が低下するばかりでなく、最悪の場合、温度調節ユニットの故障或いは発火の虞があった。
【０００４】
本発明は、このような状況を鑑みてなされたもので、箱体からフィルタ体を引き出して清掃する際に、このフィルタ体が紛失する虞がなく、また、前記フィルタ体をセットし忘れる虞の少ない貯蔵庫を提供することを目的とする。
【課題を解決するための手段】
【０００５】
前述の課題を解決するため、本発明に係る貯蔵庫は、次のような手段を採用する。
【０００６】
即ち、請求項１記載の発明は、箱体と、該箱体内を冷却及び／又は加熱する温度調節ユニットと、前記箱体に形成されている吸気口から外気を吸入して前記温度調節ユニットへ送風する送風機と、前記箱体内に設けられ前記吸気口から吸入される外気から塵埃を除去するフィルタ体とを備える貯蔵庫において、前記フィルタ体を出し入れする出入口が前記箱体に形成され、前記フィルタ体の前記出入口側と反対側の端部に爪部が形成され、該爪部を摺動可能に係合させる案内部が前記吸気口に形成され、前記爪部が当接して前記フィルタ体が前記箱体から抜けることを防止する抜止部が前記案内部の前記出入口側端部に形成されていることを特徴とする。
【０００７】
また、請求項２記載の発明は、請求項１記載の発明において、前記フィルタ体を前記吸気口の内部から前記吸気口に対して略垂直方向に押圧することで、前記爪部と前記案内部とが係合することを特徴とする請求項１記載の貯蔵庫。
【発明の効果】
【０００８】
請求項１記載の発明によれば、フィルタ体を出し入れする出入口が箱体に形成され、フィルタ体の出入口側と反対側の端部に爪部が形成され、爪部が摺動可能に係合する案内部が吸気口に形成され、爪部が当接してフィルタ体が箱体から抜けることを防止する抜止部が案内部の出入口側端部に形成されているため、箱体からフィルタ体を引き出してフィルタ体を清掃する際に、このフィルタ体が前記箱体から外れないので、前記フィルタ体が紛失することを防止することができる。
【０００９】
また、請求項２記載の発明によれば、前記フィルタ体を前記吸気口の内部からこの吸気口に対して略垂直方向に押圧することで、前記爪部と前記案内部とが係合するため、前記フィルタ体の爪部と前記箱体の開口部の案内部との係合を容易にすることができる。
【発明を実施するための最良の形態】
【００１０】
以下、本発明に係る携帯型貯蔵庫の実施形態について、図面に基づいて説明する。図１乃至図６は、本発明に係る携帯型貯蔵庫の一実施形態を説明する図である。
【００１１】
図１は、本実施形態における携帯型貯蔵庫１を示す斜視図である。携帯型貯蔵庫１は、箱体２を備えている。この箱体２は、携帯型貯蔵庫１の外壁を構成するものである。そして、前記箱体２の正面左側には、外気を前記箱体２の内部に吸入するための吸気口３が形成されている。また、前記吸気口３の内側には、この吸気口３から吸入される外気から塵埃を除去するフィルタ体４が設けられている。また、前記箱体２の左側面上部には、携帯型貯蔵庫１を制御するための操作部５が設けられている。また、前記箱体２の左側面下部には、前記吸気口３から前記箱体２の内部に吸入された外気を排出するための排気口６が形成されている。また、前記箱体２の上部には、前記携帯型貯蔵庫１の上部開口を開閉する蓋部７が設けられている。更に、前記箱体２の上部両側端部には、前記携帯型貯蔵庫１を持ち運ぶための把持部８が設けられている。
【００１２】
図２は、前記携帯型貯蔵庫１の縦断面図である。前記携帯型貯蔵庫１には、断熱部材２Ａで囲まれている収納部９が設けられている。この収納部９の左側には、温度調節ユニットであるスターリング冷凍機10が設けられている。なお、このスターリング冷凍機10については周知であるので、その説明を省略する。そして、このスターリング冷凍機10の低温となる先端部には、銅製の配管から成るサーモサイフォン11が接続されていると共に、このサーモサイフォン11の配管は前記収納部９の周囲に、熱的に接触した状態で固定されている。従って、前記スターリング冷凍機10が駆動されることで、このスターリング冷凍機10の先端部が冷却され、サーモサイフォン11内の図示しない冷媒によって冷熱が移動することによって、前記収納部９が冷却される。また、前記スターリング冷凍機10の左下側には、前記吸気口３から外気を吸入して前記スターリング冷凍機10へ送風する送風機12が設けられている。そして、この送風機12は、前記スターリング冷凍機10の駆動部及び放熱部を冷却する。
【００１３】
図３は、前記フィルタ体４を取り付けていない状態における、前記箱体２に形成されている前記吸気口３の詳細を示す図である。図３（ａ）は箱体２を構成する部品の左側面図、図３（ｂ）は同正面図、図３（ｃ）は前記吸気口３のＡ−Ａ線断面図である。前記吸気口３は箱体２の正面に形成されている略矩形状の開口である。そして、前記吸気口３には、左右端を接合するように複数条のリブが形成されている。また、前記吸気口３の上下端部には、この吸気口３の左右方向に端部まで延びると共に、前記箱体２の内面から起立して先端部で吸気口３側に張り出している案内部３ａが形成されている。そして、この案内部３ａは、後述するフィルタ体４の爪部４ｄと摺動可能に係合して、前記フィルタ体４の出し入れを案内する。また、前記吸気口３の前側には、前記フィルタ体４を前記箱体２から出し入れするための出入口３ｂが形成されている。更に、前記案内部３ａの出入口３ｂ側端部には、上下方向に延びて前記案内部３ａの張出部と連続する抜止部３ｃが形成されている。そして、この抜止部３ｃは、前記フィルタ体４を前記箱体２から引き出した際に後述するフィルタ体４の爪部４ｄが当接して、前記フィルタ体４が前記箱体２から抜けることを防止する。
【００１４】
図４は、前記フィルタ体４の詳細を示す図である。図４（ａ）は前記フィルタ体４の正面図、図４（ｂ）は前記フィルタ体４の側面図、図４（ｃ）は前記フィルタ体４の上面図、図４（ｄ）はＣ−Ｃ線断面図である。前記フィルタ体４は、フィルタ枠４ａとフィルタ４ｂとから構成されている。なお、前記フィルタ枠４ａは略矩形状に形成されている。そして、前記フィルタ枠４ａには、外気が通過可能となるように、複数の孔４ｃが形成されている。また、前記フィルタ４ｂは、前記フィルタ枠４ａの孔４ｃを覆うように前記フィルタ枠４ａに固着されている。更に、前記フィルタ枠４ａの右端部の上下には、前記フィルタ枠４ａの面方向に対して略垂直方向に延びて先端部で外側に張り出している爪部４ｄが形成されている。なお、この爪部４ｄの上下方向の外側端部は面取りされている。また、前記爪部４ｄは、前記吸気口３の上下端部に形成されている前記案内部３ａと摺動可能に係合する。更に、前記フィルタ枠４ａの先端部には、前記フィルタ体４を前記箱体２から指先で引き出せるように、凹部４ｅが形成されている。なお、前記フィルタ４ｂとしては、通気性を有し外気から塵埃を除去できるものであればよい。
【００１５】
図５は、前記箱体２に前記フィルタ体４を取り付ける手順を示した図である。最初に、図５（ａ）に示すように、前記フィルタ体４を、前記箱体２に形成されている前記出入口３ｂに、前記フィルタ体４の凹部４ｅが外側を向くように、前記爪部４ｄが形成されている右端部側から挿入する。次いで、図５（ｂ）に示すように、前記フィルタ体４を前記吸気口３の内部からこの吸入口３に対して略垂直方向に押圧することで、前記フィルタ体４の爪部４ｄを前記吸入口３の上下端部に形成されている案内部３ａと係合させる。以上の操作によって、前記フィルタ体４が前記箱体２に摺動可能に設けられる。
【００１６】
図６は、前記箱体２から前記フィルタ体４を引き出した状態を示す図である。図６（ａ）は前記箱体２を外側から見た斜視図である。また、図６（ｂ）は、前記箱体２を内側から見た斜視図である。前記箱体２から前記フィルタ体４を引き出すためには、前記フィルタ体４に形成されている前記凹部４ｅに指先を掛けて指先を前記貯蔵庫１の左方向に移動させる。この時、前記フィルタ体４は、前記爪部４ｄで前記吸気口３の上下端部に形成されている案内部３ａと摺動可能に係合しているため、前記フィルタ体４が引き出されると、前記フィルタ体４の爪部４ｄが前記吸気口３の上下端部に形成されている案内部３ａを前記貯蔵庫１の左方向にスライドする。そして、前記フィルタ体４は、前記吸気口３の上下端部に形成されている案内部３ａの出入口３ｂ側端部に前記抜止部３ｃが形成されているため、前記フィルタ体４の爪部４ｄが前記吸気口３の上下端部に形成されている案内部３ａをスライドして、前記抜止部３ｃに当接して止まる。即ち、前記フィルタ体４を前記箱体２から引き出したとしても、前記フィルタ体４が前記箱体２から外れず、従って、前記フィルタ体４を紛失してしまう虞を一掃することができる。また、前記フィルタ体４が前記箱体２から引き出された状態は、使用者にとって一目瞭然なので、使用者が前記フィルタ体４をセットし忘れる虞も減ずることができる。
【００１７】
以上、本実施形態によれば、前記フィルタ体４を出し入れするための前記出入口３ｂが前記箱体２に形成され、前記フィルタ体４の出入口３ｂ側と反対側の端部に前記爪部４ｄが形成され、この爪部４ｄが摺動可能に係合する前記案内部３ａが前記吸気口３に形成され、前記爪部４ｄが当接して前記フィルタ体４が前記箱体２から抜けることを防止する抜止部３ｃが前記案内部３ａの出入口３ｂ側端部に形成されているため、前記箱体２から前記フィルタ体４を引き出してこのフィルタ体４を清掃する際に、前記フィルタ体４が紛失することを防止することができるばかりでなく、前記フィルタ体４をセットし忘れる虞も減ずることができる。
【００１８】
また、本実施形態によれば、前記フィルタ体４を前記吸気口３の内部から、この吸気口３に対して略垂直方向に押圧することで、前記爪部４ｄと案内部３ａとが係合するため、前記フィルタ体４の爪部４ｄと前記箱体２の案内部３ａとの係合を容易にすることができる。
【００１９】
なお、本発明は上記実施例に限定されるものではなく、本発明の要旨の範囲内において種々の変形実施が可能である。例えば、本実施形態では温度調節ユニットとしてスターリング冷凍機を用いたが、これに限定されず、例えばペルチェ素子の集合体からなるサーモモジュールによって容器内を加熱又は冷却する電子式温冷庫であってもよく、また、コンプレッサー式の冷蔵庫に用いてもよい。更に、ヒータ等を用いた保温庫に用いてもよい。
【図面の簡単な説明】
【００２０】
【図１】本発明に係る貯蔵庫の一実施形態を示す斜視図である。
【図２】図１の貯蔵庫の縦断面図である。
【図３】図１の貯蔵庫における箱体の吸気口の詳細を示す図である。
【図４】図１の貯蔵庫におけるフィルタ体の詳細を示す図である。
【図５】フィルタ体を箱体に取り付ける方法を説明するための図である。
【図６】フィルタ体を箱体から引き出した状態を示す図である。
【符号の説明】
【００２１】
１  貯蔵庫
２  箱体
３  吸気口
３ａ  案内部
３ｂ  出入口
３ｃ  抜止部
４  フィルタ体
４ｄ  爪部
10  スターリング冷凍機（温度調節ユニット）
12  送風機
【図１】
2005127551.tif 000003
【図２】
2005127551.tif 000004
【図３】
2005127551.tif 000005
【図４】
2005127551.tif 000006
【図５】
2005127551.tif 000007
【図６】
2005127551.tif 000008